(57)【要約】      （修正有）【課題】購入者が注文前に出来上がりを確認できたり、自由にカスタマイズでき、ITリテラシーが低くても使用可能で、低コストで提供できるアプリケーション及びシステムを提供する。【解決手段】素材の写真をアップロードすることで素材名と素材画像を機械学習で解析し、オリジナルの素材を登録する。製造物の写真を機械学習させ、製造物の固有の特徴を取得する。製造物の設計図やパターンを機械学習させ、製造物の写真をアップロードすることで、パターンを解析し、パターンDBに登録する。オリジナルのパターンから製品画像を紐づけ、画像自体を柄として登録する。カスタマイズしたデータを保存し、カスタマイズした製品をパターンとして解析し、製造工程に依頼する。カスタマイズした製品を商品として販売する。法人の受注管理システムや顧客管理システムと連携する。法人、個人問わずスマートフォンアプリケーションとして登録する。【選択図】図１
2022002014.tif 000002
【特許請求の範囲】
【請求項１】
業種や商材を問わず製品やサービスのカスタマイズができる法人、個人向けカスタマイズシステムないしアプリケーション
a)製品を問わずカスタマイズができるシステム
b)素材の写真をアップロードすることで素材名と素材画像を機械学習解析し、タグ付け、登録するシステム
c)オリジナルの素材を登録するシステム
d)製造物の写真を機械学習させ、製造物の固有の特徴を取得し、タグ付けするシステム
e)製造物の設計図やパターンを機械学習させ、タグ付けするシステム
f)製製造物の写真をアップロードすることで、パターンを解析し、パターンDBに登録するシステム
g)オリジナルのパターン（型紙）を登録するシステム
h)オリジナルのパターン（型紙）から製品画像を紐づけるシステム
i)画像自体を柄として登録するシステム
j)カスタマイズした内容を反映するカスタマイズデータ保存システム
k)カスタマイズした製品をパターン（型紙）として解析し、製造工程に依頼することができるシステム
l)カスタマイズした製品を商品として登録し、販売することができるシステム
m)法人の受注管理システムや顧客管理システムと連携するAPIシステム
n)法人、個人問わずスマートフォンアプリケーションとして、ios/androidなどのプラットフォームアプリケーションとして登録する仕組み
【請求項２】
請求項１のうち、2つないし、3つ以上を組み合わせたシステムのこと指示する。
【発明の詳細な説明】
【技術分野】
【０００１】
業種や商材を問わず製品やサービスのカスタマイズができる法人、個人向けカスタマイズシステムないしアプリケーションである。
【背景技術】
【０００２】
カスタマイズとは、各自の嗜好性に基づき、製品の色、素材、形状など製品の構成要素を変更、変形することを意味する。
【０００３】
カスタマイズアプリとは、上記の変更、変形ををスマートフォン、PCなどの電子機器上で動くサーバー上のシステムやアプリケーションのことである。
【０００４】
カスタマイズが重宝される製品とは、発注段階で完成品が不明なものが主である。
理由としては、完成品が手元にあるわけではないため、発注者の完成品のイメージと製造者の完成品のメージに相違がうまれる可能性が高いためである。
【０００５】
製品に使用する素材、風合いや柄などは開発やプロトタイプ段階でテストするほうが、生産管理の観点からしても利点があるが、開発やプロトタイプで購入者や発注者に対して広くテストすることは難しい。
素材や柄単体では、可能な場合もあるが、製品化やプロトタイプ段階では、費用の面など現実的ではない。
【０００６】
製品化やプロトタイプ段階で、テストをしたとしても製品化するための多額のコストがかかる。
【０００７】
カスタマイズ前のデジタルモックを提供するものとして、2D,3DCADなどがあげられるが、
操作に技術力が必要であること、ソフトウェアが効果であること、使用するPCなどの電子機器のスペックが高いことが必要とされているため、専門職を除いた一般ユーザーが使用するまでには至っていない。
ここでいうユーザーとは、サービスを使用する法人や個人を意味している。
以下のユーザーは同様の意味で使用する。
【０００８】
現状スマートフォン上で操作するアプリケーションとして、大資本のアパレル企業が提供する個別のサービスがいくつか存在している。
【０００９】
しかし、スマートフォンの開発には多額のコストと開発期間、そして要件定義などITリテラシーが必要とされるため、大企業ならまだしも個人はもとより中小企業などの小資本企業に開発は現実的に不可能である。
【００１０】
一旦システムとして組み込んだ場合、パーツ追加や削除などのメンテナンスやバージョンアップなどにもシステム的な知見が必要になるため、仮にITリテラシーが低い企業や個人が導入した場合、自社や自身でメンテナンスすることは難しい。
【００１１】
また、製品ごとにカスタマイズをすることができるが、製品カテゴリの変更をせざる得ないケースが発生した場合、再度システム開発をする必要が発生し、多大な費用と時間がかかることが余儀無くされる。
【００１２】
そういった中、企業間のプレゼンテーションはもとより、昨今のオーダーメード製品製品が一般ユーザーまで少しずつ広がっている中で、完成形のイメージの共有が難し製品のプレゼンンテーションや販売には、上記のようなカスタマイズがあることで顧客満足度の向上、ひいては売上向上につながる。
【００１３】
本発明は、高い開発コスト、長期間の納期、高いITのリテラシーを必要とせずとも、業種や製品を問わずカスタマイズシステムやアプリケーションを法人や個人に対して提供できるシステムである。
【発明の概要】
【発明が解決しようとする課題】
【００１４】
請求項1記載の本発明では、低コスト、低いITリテラシーでも、法人、個人問わず、カスタマイズできるシステムおよびアプリケーションの特許である。
【００１５】
請求項2記載の本発明では、請求第1項のうちいくつかを組み合わせて使用することを想定している。
【発明の効果】
【００１６】
本発明に関わるオーダーメードシューキーパーには、以下のものが含まれる。
a)製品を問わずカスタマイズができるシステム
b)素材の写真をアップロードすることで素材名と素材画像を機械学習解析し、タグ付け、登録するシステム
c)オリジナルの素材を登録するシステム
d)製造物の写真を機械学習させ、製造物の固有の特徴を取得し、タグ付けするシステム
e)製造物の設計図やパターンを機械学習させ、タグ付けするシステム
f)製製造物の写真をアップロードすることで、パターンを解析し、パターンDBに登録するシステム
g)オリジナルのパターン（型紙）を登録するシステム
h)オリジナルのパターン（型紙）から製品画像を紐づけるシステム
i)画像自体を柄として登録するシステム
j)カスタマイズした内容を反映するカスタマイズデータ保存システム
k)カスタマイズした製品をパターン（型紙）として解析し、製造工程に依頼することができるシステム
l)カスタマイズした製品を商品として登録し、販売することができるシステム
m)法人の受注管理システムや顧客管理システムと連携するAPIシステム
n)法人、個人問わずスマートフォンアプリケーションとして、ios/androidなどのプラットフォームアプリケーションとして登録する仕組み
【００１７】
a)は、製品を問わずカスタマイズができるシステムである。
このシステムは、どのような製品でもカスタマイズできるように(0015)以降で記載されるパーツ、素材などをDBに保存し、製品ごとにカテゴリ分けし、使用する企業や個人に最適なシステムを提供するシステムである。
図1を参照する。
Nは、ここでは記載しないが、実際運用の際には使用されるデータを指している。
以下Nに関しては同様の扱いとする。
また、ここでの0/1は、0は概要するしない。1は該当する。を意味する。
以下、図表内の0/1に関しては同様の扱いとする。
【００１８】
b)は、素材の写真をアップロードすることで素材名と素材画像を機械学習解析し、タグ付け、登録する素材DBおよびシステムである。
まずは、タグ付けされた画像を素材機械学習システムにて機械学習させる。
機械学習され画像は、素材DBに反映される。
この状態は、ユーザーがシステムを使用する前に、下処理としてすでに行われている。
図2を参照する。
ユーザーは、自身が登録したい素材を画像としてアップロードする。
アップロードされた画像は、タグ付けされ、再度素材DBにデータ格納される。
この段階で、画像の不鮮明などタグ付けされないものは、
ユーザーは任意の名称で登録する。
図３を参照する。
【００１９】
c)は、オリジナルの素材を登録するシステムである。
(0015)で登録された素材は一般的な素材であり、ユーザー間で共有できるものであるが、オリジナル素材は各法人、個人の知見が詰まったものでもあるため、一般的には共有許可をされないものである。
そのため、オリジナル素材として登録されるものは、素材DBに反映はされるが、ユーザー間では共有されない。
ただし、素材のオーナーユーザーは、素材個別に許可することも可能である。
図４を参照する。
【００２０】
d)は、製造物の写真を機械学習させ、製造物の固有の特徴を取得し、タグ付けするシステムである。
まずは、各製造物の名称をタグ付けし、当該画像を製造物認識機械学習システムにアップロードさせ、機械学習させる。
機械学習させるにあたり、各製造物の頂点や特徴的な形状ならびに角度をDBに反映させる。
図5とする。
【００２１】
e)は、製造物の設計図やパターンを機械学習させ、タグ付けするシステムである。
各製造物のパターンや設計を各製造物の名称をタグ付けした上で、 当該画像やデータを製造物パターン認識機械学習システムにアップロードさせ、機械学習させる。
この状態は、ユーザーがシステムを使用する前に、下処理としてすでに行われている。
図６とする。
【００２２】
f)は、製製造物の写真をアップロードすることで、パターンを解析し、パターンDBに登録するシステムである。
各ユーザーが、任意の製造物の画像をアップロードすることで、機械学習された製造物DB、パターンDBと連携し、画像に対し、製造物タグ、パターンタグを付与する。
タグを付与された画像は、製造物認識DBに反映される。
図７とする。
【００２３】
g)は、オリジナルのパターン（型紙）を登録するシステムである。
ユーザーは、自身のオリジナルの製造物のパターンや設計図を登録することができる。
図８とする。
【００２４】
h)は、オリジナルのパターン（型紙）から製品画像を紐づけるシステムである。
ユーザーは、自身のオリジナルの製造物のパターンや設計図を登録することができる。
【００２５】
i)は、画像自体を柄として登録するシステムである。
ユーザーが画像をアップロードすることで、柄DBに登録され、カスタマイズの要素として使用される。
【００２６】
j)は、カスタマイズした内容を反映するカスタマイズデータ保存システムである。
ユーザーがおこなったカスタマイズをユーザー別カスタマイズDBとして保存する。
ユーザーは、参照するパターンを参照するかもしくは前述のオリジナルパターンを参照する。
カスタマイズカテゴリには、以下のものがあげられる。
・形状
・寸法
・色
・素材
・副素材
・その他製造物に関する事項
カスタマイズカテゴリに対し、
・カスタマイズパーツ
・カスタマイズ内容
を反映する。
図９とする。
【００２７】
k)は、カスタマイズした製品をパターン（型紙）として解析し、製造工程に依頼することができるシステムである。
参照元のパターンid、オリジナルパターンはすでにパターンとして登録されており、(0021)で処理されてた各種カスタマイズを参照元のパターンid、オリジナルパターンに修正事項を加え、製造依頼書を作成する。
製造依頼書作成完了後、製造工程に依頼をする。
図１０とする。
【００２８】
l)は、カスタマイズした製品を商品として登録し、販売することができるシステムである。
ユーザーがカスタマイズした製品に対し、製造依頼書段階で確定している色、素材、形状、寸法を採用する。その後、ユーザー管理idとSKUや金額、納期などの販売に必要な情報を付与し、販売支援サーバーにアップロードされる。
図１１とする。
【００２９】
m)は、法人の受注管理システムや顧客管理システムと連携するAPIシステムである。
企業によって稼働中の受注管理システムや顧客管理システムは異なるため、
上記の販売支援サーバーと連携するためのAPIを提供する。
また、SALSESFORCEのようなCRMシステム提供企業が開発・販売しているシステムや
スプレッドシートのようなオンライン上の簡易的なDBともAPIで連係する。
図１２とする。
【００３０】
n)は、法人、個人問わずスマートフォンアプリケーションとして、ios/androidなどのプラットフォームアプリケーションとして登録する仕組み
上記システムをアプリケーションとして開発するためのサービスキットである。
ユーザーが個別のブランド名やサービス名としてiOS/androidなどでアプリケーションをリリースするための必要な機能を提供することができる。
【００３１】
本発明は、靴やバッグのようなアパレル小物だけではなく、コートなどのアパレル、建築業界における設計・パースやモック、ソファーなどのソファーなど、設計やカスタマイズが可能とされている業界に応用が可能である。
【図面の簡単な説明】
【００３２】
【図１】カスタマイズシステム全体
【図２】素材機械学習システム
【図３】素材登録システム
【図４】オリジナル素材登録システム
【図５】造形物の形状に関する機械学習システム
【図６】パターン、設計図の機械学習システム
【図７】造形物のパターン解析システム
【図８】オリジナルパターン登録システム
【図９】カスタマイズ保存システム
【図１０】製造依頼システム
【図１１】販売支援システム
【図１２】システム連係API
【図１】
2022002014.tif 000003
【図２】
2022002014.tif 000004
【図３】
2022002014.tif 000005
【図４】
2022002014.tif 000006
【図５】
2022002014.tif 000007
【図６】
2022002014.tif 000008
【図７】
2022002014.tif 000009
【図８】
2022002014.tif 000010
【図９】
2022002014.tif 000011
【図１０】
2022002014.tif 000012
【図１１】
2022002014.tif 000013
【図１２】
2022002014.tif 000014